(57)【要約】【課題】シールド効果を確保できるとともに利便性を向上でき、感染症を防止するのに好適なフェイスシールドを提供する。【解決手段】フェイスシールド１０は、着用者の顔面に対向し、前記顔面との間にシールド空間Ｓ１を形成する前面部材１と、前記前面部材１における着用者の口部に対応する部分に形成された開口部１１と、前記開口部１１に設けられ、他の部材が接続される接続口１２と、を具備する。前記開口部１１には、前記開口部１１を開閉する開閉蓋１１ａが設けられている。【選択図】図２
0003233754.tif 000002
【実用新案登録請求の範囲】
【請求項１】
着用者の顔面に対向し、前記顔面との間にシールド空間を形成する前面部材と、
前記前面部材における着用者の口部に対応する部分に形成された開口部と、
前記開口部に設けられ、他の部材が接続される接続口と、
を具備することを特徴とするフェイスシールド。
【請求項２】
前記接続口は、前記開口部の開口周縁に沿った枠状の部材であることを特徴とする請求項１に記載のフェイスシールド。
【請求項３】
前記開口部には、前記開口部を開閉する開閉蓋が設けられていることを特徴とする請求項１又は請求項２に記載のフェイスシールド。
【請求項４】
着用者の顔面における目部を覆う目部保護カバーが設けられていることを特徴とする請求項１乃至請求項３のいずれか一項に記載のフェイスシールド。
【請求項５】
前記前面部材の内側に設けられ、少なくとも鼻部の周囲に対応するシール部材を有し、前記シール部材における鼻部に対応する部分には鼻クリップ部材が設けられていることを特徴とする請求項１乃至請求項４のいずれか一項に記載のフェイスシールド。
【請求項６】
前記鼻クリップ部材には、形状記憶材が用いられていることを特徴とする請求項５に記載のフェイスシールド。
【請求項７】
前記接続口に接続される他の部材は、フィルタであることを特徴とする請求項１乃至請求項６のいずれか一項に記載のフェイスシールド。
【請求項８】
前記接続口に接続される他の部材は、咳・くしゃみ逃がし部材であることを特徴とする請求項１乃至請求項６のいずれか一項に記載のフェイスシールド。
【請求項９】
前記接続口に接続される他の部材は、飲食物が収容される飲食補助具であることを特徴とする請求項１乃至請求項６のいずれか一項に記載のフェイスシールド。
【請求項１０】
着用者の頭部を覆うように配置される笠ユニットが取り付けられることを特徴とする請求項１乃至請求項９のいずれか一項に記載のフェイスシールド。
【請求項１１】
前記笠ユニットは折り畳み可能であることを特徴とする請求項１０に記載のフェイスシールド。
【考案の詳細な説明】
【技術分野】
【０００１】
本考案は、ウイルスや細菌等による感染症を防止するのに適するフェイスシールドに関する。
【背景技術】
【０００２】
新型コロナウイルスによる感染症のパンデミックは、社会の至る所に影響を及ぼしている。このため、感染症の防止を目的としてマスクの着用が推奨されている。
【０００３】
したがって、例えば、飲食の場においては、食物や飲料を摂取するため、マスクの片側の耳掛けを外したり、マスクを上下にずらしたりして飲食が行われる。しかしながら、食物や飲料を摂取する度にマスクの耳掛けを外したり、上下にずらしたりするのは煩わしいという不都合が生じる。このような不都合を解消するため、マスクに開閉可能な開口部を設けたものが提案されている。
また、着用者の顔面に対向するように透明のシールド板を設けて、感染者から飛散する飛沫を遮断するフェイスシールドが知られている。
【先行技術文献】
【特許文献】
【０００４】
【特許文献１】特開２００６−１９８３０５号公報
【特許文献２】特開２０１７−２４３０号公報
【特許文献３】実用新案登録第３２２８３５１号公報
【特許文献４】実用新案登録第３２３０７２３号公報
【特許文献５】実用新案登録第３２３１０６２号公報
【特許文献６】特開２００６−３７２７１号公報
【特許文献７】特開２０１３−１６９３４６号公報
【特許文献８】実用新案登録第３２２８７９６号公報
【特許文献９】実用新案登録第３２２８９０７号公報
【特許文献１０】実用新案登録第３２３０２３３号公報
【考案の概要】
【考案が解決しようとする課題】
【０００５】
しかしながら、上記従来のような構成では、例えば、飲食の場において、シールド効果が不十分な場合があり、また、利便性の向上が期待できないという問題が生じる。
本考案は、シールド効果を確保できるとともに利便性を向上でき、感染症を防止するのに好適なフェイスシールドを提供することを目的とする。
【課題を解決するための手段】
【０００６】
本考案の実施形態によるフェイスシールドは、着用者の顔面に対向し、前記顔面との間にシールド空間を形成する前面部材と、前記前面部材における着用者の口部に対応する部分に形成された開口部と、前記開口部に設けられ、他の部材が接続される接続口と、を具備することを特徴とする。
【０００７】
接続口に接続される他の部材としては、例えば、フィルタや飲食物がシールド空間に収容される飲食補助具等が適用される。他の部材は、フェイスシールド側とシールドを確保しつつ連通状態とされる部材であり、格別用途等が限定されるものではない。
かかる考案によれば、シールド効果を確保できるとともに利便性を向上でき、感染症を防止するのに好適なフェイスシールドを提供することが可能となる。
【考案の効果】
【０００８】
本考案の実施形態によれば、シールド効果を確保できるとともに利便性を向上でき、感染症を防止するのに好適なフェイスシールドを提供することが可能となる。
【図面の簡単な説明】
【０００９】
【図１】本考案の実施形態に係るフェイスシールドの概略を示す正面図である。
【図２】図１中、Ｙ−Ｙ線に沿う断面図である。
【図３】同フェイスシールドにおける開口部の構成を示す断面図である。
【図４】同フェイスシールドにおける開口部の開閉機構の動作を示す概略図であり、（ａ）は開閉蓋を示し、（ｂ）は開閉蓋のロック部を示している。
【図５】同フェイスシールドにおける開口部の開閉機構を説明するための説明図であり、（ａ）は拡大して示す一部上面図、（ｂ）は拡大して示す一部断面図である。
【図６】図２中、Ｘ−Ｘ線に沿うシール部材を示す断面図である。
【図７】同フェイスシールドにおける鼻クリップ部材を示す説明図である。
【図８】同フェイスシールドにおける目部保護カバーを示し、（ａ）は横断面図、（ｂ）は正面図、（ｃ）は側面図である。
【図９】同フェイスシールドにおける笠ユニット（実施例１）を示し、（ａ）は展開した状態の上面図であり、（ｂ）は側面図であり、（ｃ）は折り畳んだ状態を示す正面図である。
【図１０】同フェイスシールドにおける笠ユニット（実施例２）を示し、（ａ）は展開した状態の上面図であり、（ｂ）は側面図であり、（ｃ）は折り畳んだ状態を示す正面図及び側面図である。
【図１１】同フェイスシールドに接続されるフィルタを示し、（ａ）は横断面図であり、（ｂ）は正面図であり、（ｃ）は縦断面図である。
【図１２】図１１中、Ａ部を拡大して示す断面図である。
【図１３】同フェイスシールドに接続される咳・くしゃみ逃がし部材を示し、（ａ）は上面図であり、（ｂ）は正面図であり、（ｃ）は縦断面図である。
【図１４】同フェイスシールドに接続される飲食補助具を示す説明図である。
【考案を実施するための形態】
【００１０】
以下、本考案の実施形態に係るフェイスシールドについて図１乃至図１０を参照して説明する。図１は、フェイスシールドの概略を示す正面図であり、図２は、図１中、Ｙ−Ｙ線に沿う断面図であり、図３は、前面部材における開口部の構成を示す断面図である。また、図４及び図５は、前面部材における開口部の開閉蓋を示す説明図であり、図６は、図２中、Ｘ−Ｘ線に沿うシール部材を示す断面図であり、図７は、鼻クリップ部材を示す説明図である。図８は、目部保護カバーを示す横断面図、正面図及び側面図であり、図９及び図１０は、笠ユニットを示す説明図である。なお、各図において、同一部分には同一符号を付し、重複する説明は省略する。
【００１１】
本実施形態のフェイスシールドは、着用者の顔面に対向し、顔面との間にシールド空間を形成する前面部材を有し、前面部材における着用者の口部に対応する部分に形成された開口部に接続口を設け、この接続口にフィルタや飲食補助具等の他の部材が接続できるようにしたものである。
【００１２】
図１及び図２に示すようにフェイスシールド１０は、前面部材１と、シール部材２と、鼻クリップ部材３と、位置合わせ部材４と、目部保護カバー５と、頭部支持バンド６とを備えている。
【００１３】
前面部材１は、板状の透明なアクリル材料等の樹脂材料からなり、人物（着用者）の顔面に対向して覆うように形成されている。全体的には正面視では逆台形状であって前面側が凸の湾曲状に形成されている。
【００１４】
具体的には、着用者の鼻部及び口部を覆うようになっていて、口部に対応する部分には、開口部１１が形成されている。開口部１１は四角形状の開口であり、開口部１１の開口周縁には接続口１２が設けられている。接続口１２は、他の部材を接続する機能を有していて、後述するように他の部材として、例えば、フィルタや飲食補助具が接続できるようになっている。接続口１２は、開口部１１の開口周縁に沿った枠状の部材であり、枠状の内周側には弾性材としてゴム等のパッキン１２ａが設けられている（図３参照）。 
【００１５】
なお、前面部材１は、透明であることが好ましいが、透光性を有していれば半透明であってもよく、さらには不透明のフィルタ材で形成されるものであってもよい。
【００１６】
また、図３乃至図５に示すように、開口部１１には、この開口部１１を開閉する開閉蓋１１ａが設けられている。図３は、開口部１１の構成を示す断面図であり、図４は、開閉機構の動作を示す概略図であり、（ａ）は開閉蓋１１ａを示し、（ｂ）は開閉蓋１１ａのロック部を上から見て示す動作原理図である。図５は、開閉機構を説明するための説明図であり、（ａ）は拡大して示す一部上面図、（ｂ）は拡大して示す一部断面図である。
【００１７】
開閉蓋１１ａは、樹脂材料で作られた透明のフィルム板状のものであり、開口部１１の内側に配置されるようになっており、開閉機構によって開口部１１を開閉動作するようになっている。開閉蓋１１ａは、横長の略長方形状をなしていて、上下端部には長手方向に沿って等間隔でパーフォレーション（送り穴）１１ａ１が形成されている。また、パーフォレーション（送り穴）１１ａ１と並行するようにいわゆるレール状のビニールファスナー形式の構成である嵌合突条部１１ａ２が形成されている。さらにまた、パーフォレーション（送り穴）１１ａ１と並行するように弾性体のゴム紐１１ａ３が設けられている。加えて、開閉蓋１１ａの一端側には上下方向に一対の係止孔１１ａ４が形成されている。
【００１８】
ゴム紐１１ａ３は開閉蓋１１ａを閉めた状態で、開閉蓋１１ａを引っ張り方向に弾性付勢するものであり、つまり、開閉蓋１１ａを開く方向に弾性付勢するものである。
【００１９】
したがって、図４（ｂ）に示すように開閉蓋１１ａは、閉めた状態で開く方向に弾性付勢されて保持される。開閉蓋１１ａを閉めた状態では、係止爪１１ａ５が開閉蓋１１ａの係止孔１１ａ４に係止されロックされる。また、後述するように接続口１２に他の部材としてのフィルタ８等の接続部１５を接続することにより、ロックが解除され、開閉蓋１１ａは弾性付勢が解かれ、開く方向に動作し、開口部１１が開放する状態となる。
【００２０】
開閉機構は、回転体１１ｂと、保持枠１１ｃとを備えている。回転体１１ｂは、保持枠１１ｃに支持された回転軸１１ｂ１と、この回転軸１１ｂ１の両端に設けられた回転盤１１ｂ２と、下方の回転盤１２ｂ２に設けられた手動ハンドル１１ｂ３とを有している。また、回転盤１１ｂ２の側周には、前記パーフォレーション（送り穴）１１ａ１と噛み合う噛み合い突起１１ｂ４が形成されている。したがって、手動ハンドル１１ｂ３を操作して回転体１１ｂを回動させることにより、開閉蓋１１ａは、送り移動され、つまり、開口部１１を閉塞動作させることができる。また、保持枠１１ｃには、開閉蓋１１ａの嵌合突条部１１ａ２が嵌合する嵌合受部１１ｃ１が形成されており、開閉蓋１１ａの開閉動作にあたっては、これら嵌合突条部１１ａ２及び嵌合受部１１ｃ１の嵌合状態を伴って開閉蓋１１ａが移動するため、ファスナー機能が実現されシールドが確保されるようになる。なお、手動ハンドル１１ｂ３に換えて手動の回転摘みを設けるようにしてもよい。
【００２１】
図１及び図２に示すようにシール部材２は、弾力性及び伸縮性を有する樹脂製のエアチューブが用いられていて、前面部材１の内側に取り付けられて設けられるようになっており、鼻部及び口部を含んで囲むように、鼻部側から顎側に向かって垂れ下がるように略Ｕ字状をなしている。また、シール部材２は、鼻部及び口部の周囲に対応する本体部２１と、本体部２１から連続して顎側へ弧状をなして向かう顎係止部２２とを有している。
【００２２】
本体部２１は、前面部材１側に着脱可能に取り付けられるようになっている。一方、顎係止部２２は、前面部材１側に取り付けられることなく自由に動き得るフリーの状態となっている。したがって、顎係止部２２は、顎に引っ掛けることができ、顎に引っ掛けた状態で、顎の動きに追随して伸縮可能となっている。
【００２３】
詳しくは、図６に示すようにシール部材２には、エアチューブが２列長手方向に並行して配列されている。また、シール部材２の本体部２１における２列のエアチューブ間の中央部からは、嵌合突条部２５が突出している。一方、シール部材２が取り付けられる前面部材１の内側には、嵌合突条部２５が嵌合する嵌合受部２６が形成されている。これら嵌合突条部２５及び嵌合受部２６によりファスナー機能が実現されるようになっており、いわゆるレール状のビニールファスナー形式の構成となっている。したがって、シール部材２は、前面部材１の内側に着脱可能に取り付けられる。加えて、２列のエアチューブは、絹や伸縮性を有する合成繊維等で被覆２ａされ、顔面に接触したときの感触を良好なものとしている。シール部材２は、着脱可能であるため、例えば、シール部材２の交換やその合成繊維等の被覆２ａの交換が可能となる。
【００２４】
なお、エアチューブへの空気の注入には小型の手動ポンプを用いることができる。また、シール部材２には、エアチューブが用いられているが、エアチューブに限らず、ゴムや弾力性を有する低反発のスポンジ等を用いてもよく、格別材質が限定されるものではない。さらに、シール部材２は２列の構成が好ましいが１列の構成であってもよい。
【００２５】
再び図１及び図２に示すようにシール部材２の顎係止部２２と前面板１との間に張設されるように伸縮フィルタ２３が設けられている。伸縮フィルタ２３は例えば、伸縮性及び柔軟性を有する不織布や合成繊維等の材料、又はこれらの複合材料が用いられ、空気の流通は許容するがウイルスや細菌の侵入を抑制する機能を有している。したがって、伸縮フィルタ２３は、シールドを確保しながら顎係止部２２の動きに伴って伸縮して動き得る。
【００２６】
次に、図７を併せて参照して示すように、シール部材２の本体部２１における上部と前面部材１の内側との間には、鼻クリップ部材３が設けられている。つまり、シール部材２における着用者の鼻部Ｎに対応する部分には鼻クリップ部材３が設けられている。この鼻クリップ部材３は、鼻部Ｎにシール部材２が密着するように作用し、鼻部とシール部材２との間に隙間が生じないように機能する。図７は、鼻クリップ部材３の概略を上面側から見て示す説明図であり、鼻クリップ部材３は、シール部材２が鼻部の形状に沿うように複数の曲面が組み合わされて構成されていて、材質として好ましくは形状記憶材として形状記憶樹脂が用いられている。鼻クリップ部材３は、一般的な形状記憶樹脂であり、加熱により柔軟性を有して変形が可能となり、その後、常温では変形した形状で固定されるものである。したがって着用者の鼻部の形状に沿った形状に変形して調整して固定することが可能となる。
【００２７】
位置合わせ部材４は、伸縮性を有する弾性材からなる紐状の部材であり、両端が前面部材１における背面側の開口端部に固定されている。位置合わせ部材４は、フェイスシールド１０を着用するときに口部の下の顎部に掛け渡され、フェイスシールド１０の着用位置を適切にするものである。
【００２８】
また、前面部材１の両側面にはフィルタ１４が設けられている。フィルタ１４は、蛇腹状に形成されており、不織布や合成繊維等の材料、又はこれらの複合材料が用いられている。加えて、フィルタ１４はいわゆるレール状のビニールファスナー形式の構成によって、前面部材１の開口に取り付けられており、シールドが確保されるとともに交換が可能となっている。なお、前面部材１における開口部１１の近傍にはマイク及びスピーカＭｓが設けられている。これによりフェイスシールド１０を着用した状態で会話を円滑に行うことができる。
以上のような構成によって、前面部材１と着用者の顔面との間にシールド空間Ｓ１が形成されるようになる。
【００２９】
目部保護カバー５は、図８を併せて参照して示すように着用者の目部を覆い目部からの感染を防止するものである。また、目部保護カバー５は、紫外線の影響を抑制する紫外線カット（ＵＶカット）の透明なアクリル板で作製されている。さらに、目部保護カバー５は、湾曲状に形成されている前面部材１に対して、両側において前面側へ突出する突出角部５１を有している。したがって、突出角部５１によってスペースが形成されるので、フェイスシールド１０の着用者が眼鏡を装着している場合であっても、眼鏡のフレームが邪魔にならずにフェイスシールド１０を支障なく着用することができる。
【００３０】
また、突出角部５１の下面には、円形状の開閉可能なシール部５２が設けられている。具体的には、シール部５２は例えば、弾性を有し、薄肉で膜状の閉塞部５３を備え、閉塞部５３には半径方向に向かって複数の切り込み５４が形成されている。したがって、閉塞部５３は弾性を伴って折曲変形して開放され、復帰して閉塞されるようになっている。
【００３１】
このようなシール部５２は、シール部５２の外側下方から綿棒等の棒状のクリーニング部材を目部保護カバー５内に差し込み、眼鏡の曇りを拭き取ったり、汗を拭き取ったりして利用することができる。
【００３２】
なお、目部保護カバー５は、下端部及び両側端部が前面部材１に結合され、上端部が頭部支持バンド６に結合されて取り付けられるようになっている。したがって、目部保護カバー５によって、目部保護カバー５と着用者の顔面の目部との間にシールド空間Ｓ２が形成される。
【００３３】
図１及び図２に示すように頭部支持バンド６は、伸縮性を有するリング状の部材であり、フェイスシールド１０を着用者の顔面の所定位置に保持するものであり、長さ寸法が調整可能となっている。したがって、着用者の前頭部から後頭部側へ掛け渡し、頭部の径寸法に合わせて調整できる。
【００３４】
また、頭部支持バンド６に形状記憶材として形状記憶樹脂を用い、着用者の頭部の形状や大きさ等の寸法に応じて、頭部支持バンド６のサイズを調整するようにしてもよい。
【００３５】
頭部支持バンド６の適宜の箇所にはクッション材６１設けられており、頭部支持バンド６による頭部への感触が柔らかく緩和されるようになっている。クッション材６１は、フィルタ機能をも有し、低反発のスポンジ、伸縮性及び柔軟性を有する不織布や合成繊維等の材料、又はこれらの複合材料が用いられる。
【００３６】
頭部支持バンド６には、吊り紐６２が設けられている。吊り紐６２は、伸縮性を有し、長さ寸法の調整が可能な紐状の部材であり、頭部支持バンド６に取り付けられており、フェイスシールド１０を装着した場合に頭頂部から頭部支持バンド６に亘って位置されるようになる。具体的には、頭頂部から３本の吊り紐６２が円周上、等間隔の角度で配置されるようになっている。また、吊り紐６２には、適宜の箇所にクッション材６１が設けられている。
【００３７】
また、前面部材１には引っ張り紐６３が取り付けられている。引っ張り紐６３は、伸縮性を有する紐状の部材であり、両端が前面部材１の背面側の中間部開口端部に取り付けられている。引っ張り紐６３を後頭部側へ掛け渡して、フェイスシールド１０と顔面の下方との位置合わせを行う。また、引っ張り紐６３の後頭部側に対応する部分には、クッション材６１が設けられており、後頭部側への感触を柔らかくしている。
【００３８】
さらに、後頭部側には換気扇６４が配置されるようになっている。換気扇６４は小型の換気扇であり、この換気扇６４には、排気パイプ６５が接続されており、排気パイプ６５の先端部はフェイスシールド１０によって形成されるシールド空間Ｓ１に接続されている。したがって、換気扇６４を駆動させてシールド空間Ｓ１内を換気することが可能となる。
【００３９】
以上説明してきたようにフェイスシールド１０の着用時には、フェイスシールド１０と顔面との間にシール部材２、伸縮フィルタ２３及び他のフィルタ等によってシールド空間Ｓ１及びＳ２が形成される。
【００４０】
次に、本実施形態のフェイスシールド１０には、笠ユニット７が取り付けられるようになっている。笠ユニット７は、頭部支持バンド６から立設するように設けられる合成樹脂製の支柱に取り付けられ、フェイスシールド１０の着用者の頭部を覆うように配置される。笠ユニット７は、フェイスシールド１０を屋外で使用する場合に熱中症の予防に有効となる。
図９及び図１０を参照して笠ユニット７の実施例１及び実施例２について説明する。
（実施例１）
図９（ａ）は笠ユニット７を展開した状態の上面を示し、（ｂ）はその側面を示し、（ｃ）は折り畳んだ状態を示している。
【００４１】
笠ユニット７は、紙やビニール材料で形成されており、耐熱性及び防水性を有している。また、笠ユニット７は折り畳み可能に蛇腹状に形成されていて、周縁部には枠状にエアチューブ７１が配設されている。したがって、エアチューブ７１に空気を注入することにより、略四角形状に展開して笠として使用でき、エアチューブ７１から空気を抜くことにより、折り畳んで携帯することができる。
（実施例２）
図１０（ａ）は笠ユニット７を展開した状態を示し、（ｂ）はその側面を示し、（ｃ）は折り畳んだ状態における正面及び側面を示している。
【００４２】
実施例１と基本的な構成は同様である。本実施例では、エアチューブ７１に空気を注入した展開状態では、傘状の山型の形態となる。実施例１と同様に、エアチューブ７１に空気を注入することにより、傘状に展開して笠として使用でき、エアチューブ７１から空気を抜くことにより、折り畳んで携帯することができる。
なお、展開状態での両端部の継ぎ目部分７２は、いわゆるレール状のビニールファスナー形式の構成等により連結することができる。
【００４３】
次に、前面部材１の接続口１２に接続される他の部材としてのフィルタ、咳・くしゃみ逃がし部材及び飲食補助具について説明する。他の部材としてのフィルタ、咳・くしゃみ逃がし部材及び飲食補助具は、フェイスシールド１０の付属部材として提供される。
（フィルタ）
【００４４】
図１１及び図１２を参照して他の部材としてのフィルタ８の実施例について説明する。  図１１（ａ）はフィルタ８の横断面を示し、（ｂ）は正面を示し、（ｃ）は縦断面を示している。図１２は、図１１中、Ａ部を拡大して示す断面である。
【００４５】
フィルタ８は、不織布や合成繊維等の材料、又はこれらの複合材料で蛇腹状に形成されていて、前面部材１の湾曲状に沿うように円弧状をなしている。また、フィルタ８の周縁部には枠状の接続部１５が設けられている。この接続部１５は、前面部材１の開口部１１に設けられた接続口１２に接続されるようになっている。具体的には、接続部１５には、接続口１２の内周に嵌合する嵌合片１５ａが形成されており、この嵌合片１５ａがパッキン１２ａを介して接続口１２の内周に嵌合する（図３参照）。
【００４６】
また、嵌合片１５ａの外側４箇所には、接続を確実にするための嵌合突起１５ｂが設けられている。嵌合突起１５ｂはピン状であり、中間部の外周には嵌入溝１５ｃが形成されている。この嵌入溝１５ｃには、前面部材１側に設けられた線状のばね材１５ｄが嵌入するようになっている。したがって、接続口１２に接続部１５を接続するときに、ばね材１５ｄが嵌入溝１５ｃに嵌入するので、フィルタ８の接続が強固で確実となる。
【００４７】
また、フィルタ８は表面積が拡大されていて、開口部１１の両側からフィルタ８の領域がはみ出すように構成されている。したがって、フィルタ８は蛇腹状であるとともに領域が拡大されていることから大容量化されたものとなる。なお、フィルタとしては、蛇腹状ではなく平坦な曲面状のものを用いてもよい。
以上のようなフィルタ８は、適宜前面部材１の接続口１２に接続して使用することができる。
（咳・くしゃみ逃がし部材）
【００４８】
図１３を参照して他の部材としての咳・くしゃみ逃がし部材１３の実施例について説明する。図１３（ａ）は上面図であり、（ｂ）は正面図であり、（ｃ）は縦断面図を示している。なお、前述のフィルタ８と同一又は相当部分には同一符号を付し、重複する説明は省略する場合がある。
咳・くしゃみ逃がし部材１３は、フェイスシールド１０の着用者の咳やくしゃみによる飛沫を捕捉するものである。
【００４９】
咳・くしゃみ逃がし部材１３は、略四角形状の開口を有し、この開口に袋状物が取り付けられて構成されている。具体的には、開口に極薄の厚さ寸法が０．００５ｍｍ程度のポリ袋１３ａが畳まれた状態で接着されて取り付けられている。したがって、フェイスシールド１０の着用者が仮に、咳やくしゃみをした場合には、それに伴う吐息によりポリ袋１３ａが外側へ膨らんで、飛沫はポリ袋１３ａ内に排出されるようになる。
【００５０】
咳・くしゃみ逃がし部材１３は、接続部１５を備えていて、この接続部１５は前面部材１の開口部１１に設けられた接続口１２に接続されるようになっている。また、接続部１５には、接続口１２の内周に嵌合する嵌合片１５ａが形成されている。さらに、嵌合片１５ａの外側には、接続を確実にするための嵌合突起１５ｂが設けられている。この嵌合突起１５ｂには、前述のフィルタ８の場合と同様に、嵌入溝１５ｃに前面部材１側に設けられた線状のばね材１５ｄが嵌入するようになっている。
（飲食補助具）
図１４を参照して他の部材としての飲食補助具９の実施例について説明する。
【００５１】
飲食補助具９は、イベントの観覧席等において飲食する場合に用いられ、例えば、ボックス状のシールド空間が形成され、このシールド空間内に飲食物Ｆが収容されるものであり、フェイスシールド１０に接続されて使用される。
【００５２】
具体的には、飲食補助具９の一面側には、前述のフィルタ８の場合と同様な接続部１５が設けられていて、この接続部１５がフェイスシールド１０における前面部材１の開口部１１に設けられた接続口１２に接続されるようになっている。
【００５３】
また、飲食補助具９は、ビニールフィルムや防水性を有する紙の材料からなっており、両側にはシールド空間内に手指が出し入れ可能で、かつシール構成の手指出入口９１が設けられている。したがって、使用者は、手指出入口９１からシールド空間内に手を入れて、飲食物Ｆを取り飲食することが可能となる。
【００５４】
因みに、飲食補助具９におけるボックス状の形状を形成する骨格の柱には、エアチューブが用いられていて、飲食補助具９の不使用時には畳まれてコンパクトなサイズとなり、使用時にはエアチューブに空気を注入することにより、エアー立上げ式で立体化されてボックス状の形状が形成される。
次に、以上のように構成されたフェイスシールド１０の使用方法について説明する。
【００５５】
フェイスシールド１０の着用者は、予め鼻クリップ部材３を着用者の鼻部の形状に沿った形状に変形し調整して固定するとともに、頭部支持バンド６を自己の頭部の寸法に適合した寸法に調整する。その後、フェイスシールド１０を、顔面を覆うように装着するとともに位置合わせ部材４、吊り紐６２、引っ張り紐６７等を適宜調整して、シール部材２の本体部２１が顔面に密着するように調整する。次いで、シール部材２の顎係止部２２を伸ばして顎に引っ掛けた状態とする。また、この間、適宜シール部材２のエアチューブに空気を注入して顔面への接触を調整する。
【００５６】
この状態では、前面部材１及び目部保護カバー５と顔面との間にはシールド空間Ｓ１及びＳ２が形成されるようになっていて、シールド空間Ｓ１及びＳ２内は実質的には外気が遮断され、着用者は感染症を効果的に防止することができる。また、着用者が会話や飲食を行う場合には、顎が上下方向に動かされるが、顎係止部２２は顎の動きに追随するようになっているので、シールドが確保されつつ、会話や飲食を円滑に行うことができる。さらに、目部は目部保護カバー５によって覆われるので紫外線の影響を抑制することができる。
【００５７】
また、フィルタ８を使用する場合には、まず、フィルタ８の接続部１５を開口部１１に設けられた接続口１２に接続する。図３（ｂ）に示すように接続と同時に、嵌合突起１５ｂが係止爪１１ａ５の開閉蓋１１ａにおける係止孔１１ａ４の係止ロックを解除し、開閉蓋１１ａはゴム紐１１ａ３の付勢を伴って開かれる。したがって、着用者は、主としてフィルタ８を通じて外気の吸入及び排出が可能となる。
【００５８】
フィルタ８を使用しない場合は、まず、開閉蓋１１ａを手動ハンドル１１ｂ３の操作によって閉塞する。この状態で、フィルタ８の接続部１５と接続口１２との接続を解き、フィルタ８を取り外す。
このようにフィルタ８を着脱する場合においても、フェイスシールド１０によってシールド状態が確保できる
【００５９】
なお、咳・くしゃみ逃がし部材１３を使用する場合も、咳・くしゃみ逃がし部材１３の接続部１５を開口部１１に設けられた接続口１２に接続することにより、フィルタ８の場合と同様に動作する。
【００６０】
続いて、飲食補助具９を使用する場合には、同様に、まず、飲食補助具９の接続部１５を開口部１１に設けられた接続口１２に接続する。この状態で、開閉蓋１１ａはゴム紐１１ａ３の付勢を伴って開かれる。したがって、フェイスシールド１０側と飲食補助具９側とは、開口部１１を通じて連通状態となり、使用者は、手指出入口９１から手を入れて、シールドされた状態で飲食物Ｆを取り飲食することができる。
【００６１】
また、飲食補助具９を使用しない場合は、開閉蓋１１ａを手動ハンドル１１ｂ３の操作によって閉塞し、飲食補助具９の接続部１５と接続口１２との接続を解き、飲食補助具９を取り外す。
【００６２】
以上のように本実施形態によれば、シールド効果を確保できるとともに利便性を向上でき、感染症を防止するのに好適なフェイスシールドを提供することが可能となる。
【００６３】
また、一般的なマスクでは鼻部や口部にマスクが直接的に接触するが、本実施形態では前面部材１と顔面との間には顔面の全体に対応するシールド空間Ｓ１が形成されるので、長時間の使用であっても不快感を軽減することができる。
さらに、感染症の防止を強化し快適性を向上するために、フェイスシールドに酸素センサ、小型の冷暖房機を付設するようにしてもよい。
【００６４】
本考案は、上記実施形態の構成に限定されることなく、考案の要旨を逸脱しない範囲で種々の変形が可能である。また、上記実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００６５】
１・・・・前面部材
２・・・・シール部材
３・・・・鼻クリップ部材
４・・・・位置合わせ部材
５・・・・目部保護カバー
６・・・・頭部支持バンド
７・・・・笠ユニット
８・・・・フィルタ（他の部材）
９・・・・飲食補助具（他の部材）
１０・・・フェイスシールド
１１・・・開口部
１１ａ・・開閉蓋
１１ｂ・・回転体
１１ｃ・・保持枠
１２・・・接続口
１３・・・逃がし部材
１３ａ・・ポリ袋
１４・・・フィルタ
１５・・・接続部
２１・・・本体部
２２・・・顎係止部
２３・・・伸縮フィルタ
２５・・・嵌合突条部
２６・・・嵌合受部
６１・・・クッション材
６２・・・吊り紐
６３・・・引っ張り紐
６４・・・換気扇
６５・・・排気パイプ
Ｓ１、Ｓ２・・・シールド空間
【図１】
0003233754.tif 000003
【図２】
0003233754.tif 000004
【図３】
0003233754.tif 000005
【図４】
0003233754.tif 000006
【図５】
0003233754.tif 000007
【図６】
0003233754.tif 000008
【図７】
0003233754.tif 000009
【図８】
0003233754.tif 000010
【図９】
0003233754.tif 000011
【図１０】
0003233754.tif 000012
【図１１】
0003233754.tif 000013
【図１２】
0003233754.tif 000014
【図１３】
0003233754.tif 000015
【図１４】
0003233754.tif 000016